(57)【特許請求の範囲】
【請求項１】
通信衛星から送信された２種類の偏波からなる電波を各偏波毎に受信し、各偏波信号を夫々所定周波数帯の受信信号に変換して出力する受信部を備えた衛星受信アンテナに接続され、前記受信部からの受信信号を複数に分配して端末側に伝送する衛星信号分配器であって、
前記受信部からの第１偏波信号及び第２偏波信号を夫々入力するための一対の入力端子と、
該一対の入力端子に入力された各偏波信号を、夫々、複数に分配する一対の分配回路と、
該分配回路の信号分配数に対応した複数の出力端子と、
該各出力端子毎に設けられ、前記各分配回路にて分配された第１偏波信号及び第２偏波信号を夫々受けて、該２種類の偏波信号の中から、端末側より出力端子に入力された偏波切換信号に対応した偏波信号を選択し、該選択した第１偏波信号又は第２偏波信号を出力端子から端末側に出力させる切換回路と、
前記出力端子の少なくとも一つに端末側より入力された偏波切換信号から、前記衛星受信アンテナの受信部への電源供給信号を生成して、前記各入力端子から前記受信部側に出力させる受信部給電手段と、
前記衛星受信アンテナとは異なる第２受信アンテナからの第２受信信号を入力するための第２入力端子と、
該第２入力端子に入力された第２受信信号を、前記第１偏波信号及び第２偏波信号と混合して、前記各出力端子から第１偏波信号又は第２偏波信号と共に端末側に出力させる第２受信信号混合手段と、
前記第２入力端子から第２受信アンテナ側装置に電源供給を行うための第２電源供給信号を受けるための受電端子と、
該受電端子に入力された第２電源供給信号、及び、前記受信部供給手段にて生成された電源供給信号の何れか一方を選択して、前記第２入力端子から前記第２受信アンテナ側に出力させるための手動切換スイッチと、
を備えたことを特徴とする衛星信号分配器。
【請求項２】
通信衛星から送信された２種類の偏波からなる電波を各偏波毎に受信し、各偏波信号を夫々所定周波数帯の受信信号に変換して各出力端子から出力する２出力型の受信部を備えた衛星受信アンテナと、
該衛星受信アンテナとは異なる第２受信アンテナと、
該第２受信アンテナからの受信信号を増幅する増幅装置と、
請求項１に記載の衛星信号分配器と、
を備え、前記衛星信号分配器の偏波信号入力用の一対の入力端子に、前記衛星受信アンテナの受信部の各出力端子を接続すると共に、前記衛星信号分配器の第２入力端子に、前記増幅装置を介して第２受信アンテナを接続してなることを特徴とする共同受信システム。
【発明の詳細な説明】
【０００１】
【発明の属する技術分野】
本発明は、通信衛星から送信された２種類の偏波からなる電波を各偏波毎に受信する衛星受信アンテナからの受信信号を、複数の端末側に分配するのに好適な衛星信号分配器及び該分配器を用いた共同受信システムに関する。
【０００２】
【従来の技術及び発明が解決しようとする課題】
従来より、垂直偏波と水平偏波、或いは右旋円偏波と左旋円偏波、というように、互いに直交或いは交差する２種類の偏波からなる電波を同時に送信する通信衛星が知られている。そして、この種の通信衛星から送信された電波を受信する衛星受信アンテナ（所謂ＣＳアンテナ）は、一般に、各偏波の電波を個々に受信して、各偏波信号を、夫々、所定周波数帯の受信信号に変換して出力するようにされている。
【０００３】
また、この種のＣＳアンテナからの受信信号を端末側に伝送する際には、ＣＳアンテナの受信部に設けられた各偏波信号出力用の出力端子に、受信信号伝送用として各１本ずつのケーブルを接続し、この２本のケーブルを端末側まで配線していた。また、一つのＣＳアンテナからの受信信号を複数の端末側で利用する際には、ＣＳアンテナから引き出した２本のケーブルの途中に夫々分配器を設け、各分配器で分配した２種類の偏波信号を、夫々、ケーブルを介して端末側に伝送するようにしていた。
【０００４】
このため、従来、この種のＣＳアンテナを用いて受信した衛星信号を利用する（つまり通信衛星を利用した放送を楽しむ）には、各偏波用の２本のケーブルを配線しなければならず、また端末側の各部屋にも受信信号取り出し用の端子を２個設置しなければならず、屋内配線工事が極めて面倒であった。
【０００５】
また例えば、ＣＳアンテナが垂直偏波と水平偏波とからなる直交２偏波の電波を受信する場合、端末側に設けられるチューナ（所謂ＣＳチューナ）は、垂直偏波信号を受けたいときには、ケーブルを介してアンテナからの受信信号が入力される入力端子からアンテナ側に、垂直偏波受信用の直流電圧信号（一般に１１Ｖ）を出力し、水平偏波信号を受けたいときには、同じく入力端子からアンテナ側に、水平偏波受信用の直流電圧信号（一般に１５Ｖ）を出力するように構成されるが、ＣＳチューナに各偏波の受信信号をそのまま入力してＣＳチューナ側で受信信号を選択させる、といったことはできないので、端末側には、ＣＳチューナからの偏波切換信号（１１Ｖ又は１５Ｖ）を受けて、ＣＳチューナに垂直偏波信号を入力するか水平偏波信号を入力するかを切り換える切換器を別途設けなければならないといった問題もある。
【０００６】
また更に、ＣＳチューナが設置される各端末側では、ＣＳアンテナからの受信信号による放送（ＣＳ放送）以外に、地上局からのテレビ放送（ＶＨＦ放送，ＵＨＦ放送）、あるいは、放送衛星を使ったテレビ放送（ＢＳ放送）等も受信できるように、これらのテレビ放送に対応したチューナを内蔵（又は外付け）したテレビ受像機を設置するのが一般的であるが、従来、このようなテレビ受像機に、ＣＳ放送以外のテレビ放送を受信する受信アンテナ（ＶＨＦアンテナ，ＵＨＦアンテナ，ＢＳアンテナ等）からの受信信号を伝送する際には、ＣＳアンテナからの受信信号を伝送するケーブルとは異なるケーブルを別途設ける必要があった。このため、ＣＳアンテナと他の放送受信用の受信アンテナ（ＶＨＦアンテナ，ＵＨＦアンテナ，ＢＳアンテナ）とが設置される共同受信システムでは、これら各アンテナからの受信信号を端末側に伝送するためには、ＣＳアンテナに対して２本、他のアンテナに対して少なくとも１本、というように、３本以上のケーブルを引き回さなければならず、配線工事が極めて面倒である、という問題もあった。
【０００７】
本発明は、こうした問題に鑑みなされたものであり、２種類の偏波からなる電波を受信するＣＳアンテナからの受信信号と、ＣＳアンテナ以外の受信アンテナ（ＶＨＦアンテナ，ＵＨＦアンテナ，ＢＳアンテナ等）からの受信信号とを、複数の端末側に１本のケーブルで各々伝送できるようにした衛星信号分配器及び共同受信システムを提供することを目的とする。
【０００８】
【課題を解決するための手段及び発明の効果】
かかる目的を達成するためになされた請求項１に記載の発明は、通信衛星から送信された２種類の偏波からなる電波を各偏波毎に受信し、各偏波信号を夫々所定周波数帯の受信信号に変換して出力する受信部を備えた衛星受信アンテナに接続され、前記受信部からの受信信号を複数に分配して端末側に伝送する衛星信号分配器であって、前記受信部からの第１偏波信号及び第２偏波信号を夫々入力するための一対の入力端子と、該一対の入力端子に入力された各偏波信号を、夫々、複数に分配する一対の分配回路と、該分配回路の信号分配数に対応した複数の出力端子と、該各出力端子毎に設けられ、前記各分配回路にて分配された第１偏波信号及び第２偏波信号を夫々受けて、該２種類の偏波信号の中から、端末側より出力端子に入力された偏波切換信号に対応した偏波信号を選択し、該選択した第１偏波信号又は第２偏波信号を出力端子から端末側に出力させる切換回路と、前記出力端子の少なくとも一つに端末側より入力された偏波切換信号から、前記衛星受信アンテナの受信部への電源供給信号を生成して、前記各入力端子から前記受信部側に出力させる受信部給電手段と、前記衛星受信アンテナとは異なる第２受信アンテナからの第２受信信号を入力するための第２入力端子と、該第２入力端子に入力された第２受信信号を、前記第１偏波信号及び第２偏波信号と混合して、前記各出力端子から第１偏波信号又は第２偏波信号と共に端末側に出力させる第２受信信号混合手段と、前記第２入力端子から第２受信アンテナ側装置に電源供給を行うための第２電源供給信号を受けるための受電端子と、該受電端子に入力された第２電源供給信号、及び、前記受信部供給手段にて生成された電源供給信号の何れか一方を選択して、前記第２入力端子から前記第２受信アンテナ側に出力させるための手動切換スイッチと、を備えたことを特徴とする。
【０００９】
このように構成された本発明の衛星信号分配器においては、まず、衛星受信アンテナの受信部から出力される２種類の偏波信号を、夫々、対応する入力端子に入力すれば、第１偏波信号及び第２偏波信号が、各入力端子に接続された分配回路により複数に分配され、その分配された複数の第１偏波信号及び第２偏波信号は、分配回路の受信信号分配数に対応して設けられた複数の切換回路に夫々入力される。
【００１０】
そして、切換回路は、その入力された２種類の偏波信号の中から、対応する出力端子に端末側より入力された偏波切換信号に対応した偏波信号を選択し、その選択した第１偏波信号又は第２偏波信号を出力端子から端末側に出力させる。
この結果、本発明の衛星信号分配器によれば、複数の出力端子に対して、各出力端子に接続される端末装置（前述のＣＳチューナ等）側からの偏波切換信号を入力すれば、各出力端子から、その偏波切換信号に応じた第１偏波又は第２偏波の受信信号が出力されることになり、各端末装置側では、個々に、所望の偏波チャンネルの放送を楽しむことができる。
【００１１】
また、本発明の衛星信号分配器においては、受信部給電手段が、出力端子の少なくとも一つに端末側より入力された偏波切換信号から、衛星受信アンテナの受信部への電源供給信号を生成して、各受信部に対応する一対の入力端子から受信部側に出力させる。つまり、衛星受信アンテナの受信部は、通常、受信信号を出力する出力端子に端末側から電源供給を受けることにより動作するよう構成されていることから、本発明では、衛星受信アンテナの受信部への給電のために、受信部給電手段が設けられている。このため、本発明によれば、各出力端子から端末側が要求してきた偏波の受信信号を出力できるだけでなく、衛星受信アンテナへの電源供給をも簡単に行うことが可能になる。
【００１２】
また、本発明の衛星信号分配器においては、第２入力端子に、衛星受信アンテナとは異なる第２受信アンテナ（例えば、前述のＶＨＦアンテナ，ＵＨＦアンテナ，ＢＳアンテナ等）からの受信信号（第２受信信号）を入力すれば、第２受信信号混合手段が、その第２受信信号を、第１偏波信号及び第２偏波信号と混合して、各出力端子から第１偏波信号又は第２偏波信号と一緒に端末側に出力させる。このため、本発明によれば、出力端子に接続された端末装置に対して、端末側からの要求に対応した第１偏波或いは第２偏波の受信信号と、第２受信アンテナからの受信信号とを、一本のケーブルを介して同時に伝送することが可能になる。
【００１３】
また更に、本発明の衛星信号分配器においては、受電端子に、第２受信アンテナ側装置に電源供給を行うための第２電源供給信号を入力して、手動切換スイッチを、この受電端子側に切り換えれば、第２電源供給信号が、第２入力端子から第２受信アンテナ側に出力される。また、手動切換スイッチを受電部供給手段側に切り換えれば、受電部供給手段にて生成された電源供給信号が、第２入力端子から第２受信アンテナ側に出力される。
従って、本発明の衛星信号分配器によれば、第２入力端子と第２受信アンテナとを接続する信号経路に、受信信号増幅用の増幅器が設けられていたり、或いは、第２受信アンテナが端末側から電源供給を受けて動作する受信部を備えていたとしても、受電端子に電源装置を接続して手動切換スイッチを受電端子側に切り換えるか、或いは、手動切換スイッチを受電部供給手段側に切り換えることで、第２受信アンテナ側装置への電源供給も極めて簡単に行うことが可能になる。
【００１４】
そして、このように、本発明の衛星信号分配器によれば、衛星受信アンテナの受信部から出力される第１偏波信号及び第２偏波信号の中から、各出力端子に接続された端末側からの要求（偏波切換信号）に対応した偏波の受信信号を選択して、各端末側に伝送できると共に、第２受信アンテナからの受信信号をも同時に各端末側に伝送でき、しかも、衛星受信アンテナの受信部への電源供給及び第２受信アンテナ側装置への電源供給をも簡単に行うことができることから、共同受信システムを構築するに当たっては、請求項２に記載のように、上記衛星信号分配器の偏波信号入力用の一対の入力端子に、衛星受信アンテナの受信部の各出力端子を接続し、衛星信号分配器の第２入力端子に、受信信号増幅用の増幅装置を介して第２受信アンテナを接続するようにすればよい。
【００１５】
つまり、共同受信システムを請求項２に記載のように構成すれば、通信衛星からの放送電波と、地上局或いは放送衛星からの放送電波とを、夫々、専用の受信アンテナにて受信して、その受信信号を、複数の端末装置に良好に伝送することが可能になる。そして、この共同受信システムによれば、衛星信号分配器と各端末装置との接続を１本のケーブルで行えばよいため、その配線工事が極めて簡単になる。
【００１７】
【発明の実施の形態】
以下に本発明の実施例を図面と共に説明する。
まず図１は本発明の前提となる参考例の共同受信システムの構成を表わす構成図である。
【００１８】
図１に示す如く、本参考例の共同受信システムには、衛星受信アンテナとして、通信衛星（ＣＳ）から送信されてくる直交２偏波（垂直偏波と水平偏波）の送信電波を受信するＣＳアンテナ２が備えられると共に、第２受信アンテナとして、地上局から送信されてくるＶＨＦ及びＵＨＦのテレビ放送電波を受信するＶＨＦアンテナ４及びＵＨＦアンテナ６と、放送衛星（ＢＳ）から送信されてくるテレビ放送電波を受信するＢＳアンテナ８とが備えられている。
【００１９】
ＣＳアンテナ２は、反射鏡２ａと、支持腕２ｂを介して反射鏡２ａの焦点位置に配置された受信部２ｃとから構成されている。この受信部２ｃは、２出力型コンバータと呼ばれ、反射鏡２ａにて集波された通信衛星からの送信電波を受信・増幅し、夫々独立に偏波の選択をして、所定周波数帯（例えば１５７２〜２０７２ＭＨｚ）の受信信号に変換するコンバータ回路を一対備えた周知のものである。そして、この受信部２ｃは、出力端子に加わる電圧値（直流１１Ｖ又は直流１５Ｖ）に応じて、２系統のコンバータ回路が夫々独立に垂直偏波及び水平偏波を選択して出力するよう構成されており、その出力端子は、受信信号伝送用の同軸ケーブルを介して、衛星信号分配器（以下単に分配器という）２０の一対のＣＳ入力端子２２ｖ，２２ｈに夫々接続される。なお、ＣＳ入力端子２２ｖ，２２ｈに付与した添え字ｖ，ｈは、夫々、垂直偏波，水平偏波を表わす。
【００２０】
一方、ＢＳアンテナ８は、ＣＳアンテナ２と同様、反射鏡８ａと、支持腕８ｂを介して反射鏡８ａの焦点位置に配置された受信部８ｃとから構成されている。そして、この受信部８ｃは、反射鏡８ａにて集波された放送衛星からの送信電波を受信・増幅して、ＣＳアンテナ２からの受信信号とは異なる所定周波数帯（例えば１０３５〜１３３５ＭＨｚ）の受信信号に変換するコンバータ回路を備え、その出力端子は、ＶＨＦアンテナ４及びＵＨＦアンテナ６の出力端子と共に、ＶＨＦ，ＵＨＦ，及びＢＳの各受信信号を増幅する増幅装置（所謂ブースタ）１０の入力端子に接続されている。
【００２１】
また、ブースタ１０は、これら各アンテナ４，６，８からの受信信号（ＶＵ・ＢＳ）を各々増幅し、その増幅後の各受信信号を合成して出力端子から出力する周知のものであり、その出力端子は、同軸ケーブルを介して、分配器２０のＶＵ・ＢＳ入力端子（前述の第２入力端子）２２ｉに接続されている。
【００２２】
尚、ブースタ１０及びＢＳアンテナ８の受信部８ｃは、その出力端子に電源供給（例えば、直流１５Ｖ）を受けて動作するように構成されており、本参考例では、分配器２０のＶＵ・ＢＳ入力端子２２ｉから直流１５Ｖの電源供給信号（前述の第２電源供給信号）を出力することにより、ブースタ１０を動作させ、更に、ブースタ１０からその電源供給信号の一部をＢＳアンテナ８側に出力することにより、ＢＳアンテナ８の受信部８ｃを動作させるようにされている。
【００２３】
次に、分配器２０は、ＣＳ入力端子２２ｖ及び２２ｈに入力されたＣＳアンテナ２からの垂直偏波信号及び水平偏波信号を夫々４分配し、その４分配した垂直偏波信号及び水平偏波信号のいずれかを、ＶＵ・ＢＳ入力端子２２ｉに入力されたＶＨＦ，ＵＨＦ，ＢＳの各受信信号と一緒に、４個の出力端子２４ａ〜２４ｄから端末側に各々出力する４分配器である。そして、各出力端子２４ａ〜２４ｄ（以下、総称して出力端子２４ともいう）は、受信信号伝送用の同軸ケーブルを介して、当該共同受信システムが設置される施設の各部屋に配置されたテレビ受像機１２やＣＳチューナ１４等からなる端末装置に夫々接続されている。
【００２４】
尚、端末装置は、当該システムの利用者によって適宜構成されるものであるが、図１に示す如く、通常、分配器２０の出力端子２４からの出力信号をＶＨＦ，ＵＨＦ，ＢＳの各受信信号（ＶＵ・ＢＳ信号）とＣＳアンテナ２からの垂直偏波又は水平偏波の受信信号（ＣＳ信号）とに分けるセパレータＳＰ１と、このセパレータＳＰ１からのＶＵ・ＢＳ信号を、更に、ＶＨＦ，ＵＨＦの受信信号（ＶＵ信号）とＢＳ信号とに分けるセパレータＳＰ２と、このセパレータＳＰ２からのＶＵ信号及びＢＳ信号を対応する入力端子に受けて、所望放送チャンネルの映像・音声信号を復元するチューナを内蔵したテレビ受像機１２と、セパレータＳＰ１からのＣＳ信号の中から所望チャンネルの映像・音声信号を復元し、テレビ受像機１２に入力するＣＳチューナ１４とから構成される。そして、ＣＳチューナ１４は、直流１１Ｖ又は１５Ｖの偏波切換信号を、分配器２０の出力端子２４側に出力することにより、ＣＳ信号の偏波切換とＣＳアンテナ２への電源供給とを同時に行なうようにされている。なお、このように構成されたＣＳチューナ１４は、従来より周知であるので、詳細な説明は省略する。
【００２５】
次に、本発明にかかわる主要部である、分配器２０の構成について説明する。
図１に示すように、分配器２０には、垂直偏波信号及び水平偏波信号入力用（Ｖ入力用，Ｈ入力用）の各ＣＳ入力端子２２ｖ，２２ｈにおいて同軸ケーブルの芯線が接続される中心端子に、各偏波信号通過用のハイパスフィルタ３０ｖ，３０ｈを介して接続された、一対の分配回路２８ｖ，２８ｈが備えられている。
【００２６】
各分配回路２８ｖ，２８ｈは、各ＣＳ入力端子２２ｖ，２２ｈに入力された垂直偏波信号及び水平偏波信号を、夫々、４分配するためのものであり、４つの分配出力端子は、夫々、コンデンサＣ及びチョークコイルＬからなる電圧合成部３６を介して、切換回路３４ａ〜３４ｄに接続されている。
【００２７】
切換回路３４ａ〜３４ｄは、各分配回路２８ｖ，２８ｈにて分配された垂直偏波信号及び水平偏波信号を夫々受けていずれかの偏波信号を選択し、その選択した垂直偏波信号又は水平偏波信号を、対応する出力端子２４ａ〜２４ｄに出力することで、出力端子２４ａ〜２４ｄに接続された端末側に、垂直偏波信号又は水平偏波信号のいずれかを伝送させるためのものであり、図２に示す如く構成されている。
【００２８】
即ち、図２に示す如く、各切換回路３４（詳しくは３４ａ〜３４ｄ）は、分配回路２８ｖからの垂直偏波信号を受ける垂直偏波信号用の入力端子ＴIVと、分配回路２８ｈからの水平偏波信号を受ける水平偏波信号用の入力端子ＴIHと、入力端子ＴIV，ＴIHのいずれかに入力された受信信号（垂直偏波信号又は水平偏波信号）を端末側に出力する出力端子Ｔout と、２つの入力端子ＴIV，ＴIHのいずれかと出力端子Ｔout とを択一的に接続するためのリレー回路４０とを備える。
【００２９】
そして、リレー回路４０と出力端子Ｔout との間の信号経路には、出力端子Ｔout 側に入力された偏波切換信号（１１Ｖ又は１５Ｖ）を分離する電源分離フィルタ４４と、この電源分離フィルタ４４にて分離された偏波切換信号を、逆流防止用のダイオードＤを介してリレー回路４０側にバイパスさせる電源重畳フィルタ４２とが設けられている。
【００３０】
なお、リレー回路４０は、リレー接点４０ａとリレーコイル４０ｂとからなる周知のもので、本参考例では、リレーコイル４０ｂへの通電がない時に、リレー接点４０ａが入力端子ＴＩＶと出力端子Ｔｏｕｔ  側とを接続する状態となって、垂直偏波信号を出力端子Ｔｏｕｔ  から出力させ、リレーコイル４０ｂが通電されると、リレー接点４０ａが入力端子ＴＩＨと出力端子Ｔｏｕｔ  側とを接続する状態となって、水平偏波信号を出力端子Ｔｏｕｔ  から出力させる。
【００３１】
また、電源重畳フィルタ４２は、ダイオードＤを介して入力される直流電圧（つまり偏波切換信号）をリレー回路４０と電源分離フィルタ４４との間の信号経路に重畳するコイルＬ1 と、このコイルＬ1 を介して重畳された直流電圧によって出力端子Ｔout 側に直流電流が流れるのを防止するコンデンサＣ1 とからなり、受信信号の信号経路に対しては高周波成分を通過させるハイパスフィルタを構成している。また、電源分離フィルタ４４は、出力端子Ｔout に端末側より供給された直流電圧（偏波切換信号）を取り出すためのコイルＬ2 と、電源重畳フィルタ４２と出力端子Ｔout との間の信号経路を通って出力端子Ｔout からリレー回路４０側に直流電流が流れるのを防止するコンデンサＣ2 とからなり、受信信号の信号経路に対しては高周波成分を通過させるハイパスフィルタを構成している。
【００３２】
次に、各切換回路３４には、電源分離フィルタ４４により分離された直流電圧（偏波切換信号）を内部回路駆動用の定電圧に変換する定電圧回路４６と、この定電圧回路からの出力を安定化させる平滑用コンデンサ４８とが備えられ、これらの動作によって一定の電源電圧＋Ｖｃが生成される。また、各切換回路３４には、この生成された電源電圧＋Ｖｃを受けて動作する判定回路５０と、リレーコイル４０ｂへの通電・非通電を切り換える駆動回路５２とが備えられている。
【００３３】
判定回路５０は、電源分離フィルタ４４により分離された端末側からの偏波切換信号の電圧レベルが、垂直偏波受信用の電圧レベル１１Ｖであるか、水平偏波受信用の電圧レベル１５Ｖであるかを判定するためのものであり、偏波切換信号を分圧する分圧用の抵抗器Ｒ1 ，Ｒ2 と、電源電圧＋Ｖｃを分圧して電圧判定用の基準電圧を生成する抵抗器Ｒ3 ，Ｒ4 と、抵抗器Ｒ1 ，Ｒ2 にて分圧された偏波切換信号の電圧値と抵抗器Ｒ3 ，Ｒ4 により生成された基準電圧とを大小比較し、端末側より入力された偏波切換信号が、例えば１３Ｖ以上であるときハイレベル，１３Ｖ未満であるときローレベルの判定信号を出力するオペアンプＯＰと、からなるコンパレータにて構成されている。
【００３４】
また、駆動回路５２は、電源電圧＋Ｖｃをエミッタに、判定回路５０からの判定信号をベースに夫々受け、判定信号がローレベルであるとき、オン状態となって、コレクタからリレーコイル４０ｂに電流を流すＰＮＰトランジスタＴＲと、このトランジスタＴＲのコレクタに接続された電圧変化吸収用のコンデンサＣ3 とから構成されている。
【００３５】
この結果、ＣＳチューナ１４から直流１１Ｖの偏波切換信号が出力され、この信号が出力端子２４ａ〜２４ｄを介して、切換回路３４ａ〜３４ｄに入力されると、各切換回路３４ａ〜３４ｄ内では、判定回路５０の出力がハイレベルとなって、駆動回路５２内のトランジスタＴＲがオフし、リレーコイル４０ｂの通電が遮断されて、リレー接点４０ａは、垂直偏波信号入力用の入力端子ＴIV側に切り換えられる。また逆に、ＣＳチューナ１４から直流１５Ｖの偏波切換信号が出力され、この信号が出力端子２４ａ〜２４ｄを介して、切換回路３４ａ〜３４ｄに入力されると、各切換回路３４ａ〜３４ｄ内では、判定回路５０の出力がローレベルとなって、駆動回路５２内のトランジスタＴＲがオンし、リレーコイル４０ｂが通電されて、リレー接点４０ａは、水平偏波信号入力用の入力端子ＴIH側に切り換えられる。従って、出力端子２４ａ〜２４ｄに接続されたＣＳチューナ１４には、ＣＳチューナ１４が出力した偏波切換信号の電圧レベル（直流１１Ｖ又は１５Ｖ）に対応した垂直偏波信号又は水平偏波信号が出力されることになる。
【００３６】
また、各切換回路３４ａ〜３４ｄ内では、出力端子Ｔout に入力された偏波切換信号が、電源分離フィルタ４４内のコイルＬ2 と、逆流防止用のダイオードＤと、電源重畳フィルタ４２内のコイルＬ1 とからなる偏波切換信号出力回路によって、リレー回路４０の電源重畳フィルタ４２側に印加される。この結果、４個の切換回路３４ａ〜３４ｄの内、ＣＳチューナ１４から出力された１１Ｖの偏波切換信号により垂直偏波信号を選択している切換回路３４は、リレー回路４０を介して、入力端子ＴIVから分配回路２８ｖの分配出力端子側に、１１Ｖの偏波切換信号を出力することになり、ＣＳチューナ１４から出力された１５Ｖの偏波切換信号により水平偏波信号を選択している切換回路３４は、リレー回路４０を介して、入力端子ＴIHから分配回路２８ｈの分配出力端子側に、１５Ｖの偏波切換信号を出力することになる。
【００３７】
次に、各分配回路２８ｖ，２８ｈの分配出力端子から各切換回路３４ａ〜３４ｄの入力端子ＴＩＶ，ＴＩＨに至る受信信号の入力経路に設けられた電圧合成部３６は、図１に示すように、各切換回路３４ａ〜３４ｄの入力端子ＴＩＶ，ＴＩＨから出力される１１Ｖ，１５Ｖの偏波切換信号を夫々取り出すための８個のチョークコイルＬと、偏波切換信号により各分配回路２８ｖ，２８ｈ側に電流が流れるのを防止する８個のコンデンサＣと、から構成されている。
【００３８】
そして、上記８個のチョークコイルＬの内、各切換回路３４ａ〜３４ｄの入力端子ＴIV側に接続されたチョークコイルＬの他端は互いに接続され、その接続点は、チョークコイルＬｖを介して、垂直偏波信号入力用（Ｖ入力）のＣＳ入力端子２２ｖに接続されている。また、各切換回路３４ａ〜３４ｄの入力端子ＴIH側に接続されたチョークコイルＬの他端も互いに接続され、その接続点は、チョークコイルＬｈを介して、水平偏波信号入力用（Ｈ入力）のＣＳ入力端子２２ｈに接続されている。
【００３９】
従って、各切換回路３４ａ〜３４ｄの入力端子ＴIV及びＴIHから出力される１１Ｖ及び１５Ｖの偏波切換信号は、夫々、ＣＳアンテナ２の受信部２ｃに内蔵された垂直偏波受信用コンバータ回路及び水平偏波受信用コンバータ回路へと出力されることになり、各コンバータ回路は、動作に必要な偏波切換信号（１１Ｖ，１５Ｖ）を受けて正常に動作し、垂直偏波信号及び水平偏波信号を夫々出力することになる。
【００４０】
また次に、分配器２０において、ブースタ１０からの出力信号（ＶＵ・ＢＳ信号）を受けるＶＵ・ＢＳ入力端子２２ｉにおいて、同軸ケーブルの芯線が接続される中心端子には、後述の電源供給信号を阻止し、ＶＵ・ＢＳ信号を２分配する分配回路２８ｉが接続されている。そして、この分配回路２８ｉの２つの分配出力端子には、ＶＵ・ＢＳ信号通過・ＣＳ信号遮断用のローパスフィルタ３２ａ，３２ｂを介して、分配回路２８ｖ，２８ｈの入力端子が接続されている。
【００４１】
この結果、ＶＵ・ＢＳ入力端子２２ｉにブースタ１０を介して入力されたＶＨＦ，ＵＨＦ，ＢＳの各受信信号（ＶＵ・ＢＳ信号）は、ＣＳ入力端子２２ｖ，２２ｈに入力された垂直偏波信号及び水平偏波信号と一緒に、各分配回路２８ｖ，２８ｈに入力されることになり、切換回路３４ａ〜３４ｄ及び出力端子２４ａ〜２４ｄを介して、各端末装置側に出力されることになる。尚、本参考例では、分配回路２８ｉ，ローパスフィルタ３２ａ及び３２ｂが、本発明の第２受信信号混合手段に相当する。
【００４２】
また更に、分配器２０には、ブースタ１０及びＢＳアンテナ８の受信部８ｃに電源供給を行うための電源供給信号（直流１５Ｖ）を発生する電源装置１６を接続するための受電端子２６が設けられている。そして、この受電端子２６には、チョークコイルＬｉを介して、ＶＵ・ＢＳ入力端子２２ｉの中心端子が接続されている。
【００４３】
この結果、ブースタ１０及びＢＳアンテナ８の受信部８ｃには、電源装置１６にて生成された電源供給信号が、受電端子２６、チョークコイルＬｉ、ＶＵ・ＢＳ入力端子、及び同軸ケーブルを介して、分配器２０側より供給されることになり、ブースタ１０及びＢＳアンテナ８の受信部８ｃは、その供給された電源供給信号を受けて正常動作し、端末側に、所望レベルのＶＵ・ＢＳ信号を伝送することが可能になる。
【００４４】
以上説明したように、上記参考例の分配器２０によれば、４つの出力端子２４ａ〜２４ｄに各々接続された端末装置（詳しくはＣＳチューナ１４）からの偏波切換信号に対応した偏波面の受信信号（垂直偏波信号又は水平偏波信号）を、各出力端子２４ａ〜２４ｄから出力することができると共に、各出力端子２４ａ〜２４ｄから、ＣＳアンテナ２以外の受信アンテナ（上記参考例では、ＶＨＦアンテナ４，ＵＨＦアンテナ６，ＢＳアンテナ８）からの受信信号をも同時に出力することができる。このため、出力端子２４ａ〜２４ｄに接続された各端末装置には、１本の同軸ケーブルを用いて、ＣＳアンテナ２で受信された垂直偏波信号又は水平偏波信号と、ＶＨＦ，ＵＨＦ，ＢＳの各受信アンテナ４，６，８で受信された各受信信号（ＶＵ・ＢＳ信号）とを、同時に伝送することが可能になり、共同受信システムを構築するに当たって、受信信号伝送用の配線を極めて簡単に行うことができる。
【００４５】
また、ＣＳアンテナ２の受信部２ｃに対しては、端末装置（詳しくはＣＳチューナ１４）からの偏波切換信号を、垂直偏波信号及び水平偏波信号を夫々出力させるための電源供給信号（１１Ｖ，１５Ｖ）として供給でき、ブースタ１０及びＢＳアンテナ８の受信部８ｃに対しては、電源装置１６にて生成された電源供給信号（１５Ｖ）を供給することができるため、これら各部２ｃ，１０，８ｃを動作させるために、別途電源供給ラインを設けるとか、或いは、これら各部２ｃ，１０，８ｃに直接電源装置を接続する、といった必要がなく、共同受信システムをより簡単に実現することができる。
【００４６】
ところで、上記参考例では、ＣＳアンテナ２の受信部２ｃには、ＣＳチューナ１４より出力された偏波切換信号を合成した電源供給信号を出力するものとしたが、ＣＳチューナ１４からの偏波切換信号の電力が小さいと、ＣＳチューナの受信部２ｃに対して、充分な電力を供給できないことがある。このような共同受信システムでは、ＣＳアンテナ２の受信部２ｃに対する電源供給信号を生成する電源装置を別途設け、分配器側では、この電源装置からの電源供給信号に基づき、ＣＳアンテナ２の受信部２ｃに対する電源供給信号（１１Ｖ，１５Ｖ）を生成するようにすればよい。
【００４７】
以下、このように構成した本発明の実施例の共同受信システムについて説明する。図３は、本実施例の共同受信システムの構成を表す構成図である。
図３に示す如く、本実施例の共同受信システムは、図１に示した共同受信システムと同様、ＣＳアンテナ２，ＶＨＦアンテナ４，ＵＨＦアンテナ６，ＢＳアンテナ８，ブースタ１０を備える。そして、ブースタ１０からの受信信号（ＶＵ・ＢＳ信号）は、同軸ケーブルを介して分配器７０のＶＵ・ＢＳ入力端子７２ｉに入力され、ＣＳアンテナ２の受信部２ｃを構成する一対のコンバータ回路からの出力信号（垂直偏波信号及び水平偏波信号）は、夫々、同軸ケーブルを介して、分配器７０のＣＳ入力端子７２ｖ，７２ｈに入力される。
【００４８】
また、分配器７０には、図１に示した分配器２０と同様、ブースタ１０及びＢＳアンテナ８への電源供給用の電源装置１６からの電源供給信号（第２電源供給信号）を受ける受電端子７６が設けられると共に、４つの出力端子７４ａ〜７４ｄが設けられている。そして、この４つの出力端子７４ａ〜７４ｄの一つ（本実施例では出力端子７４ｄ）には、端末装置（詳しくはＣＳチューナ１４）からの偏波切換信号と同レベルの電圧信号を発生する電源装置６０が接続されている。
【００４９】
なお、この電源装置６０は、例えば、ＡＣプラグを介して入力される商用電源からの交流電圧（例えば交流１００Ｖ）を、所定の交流電圧（例えば交流２４Ｖ）に変圧する電源トランスと、電源トランスによる変圧後の交流電圧を全波整流して直流電源電圧を生成する全波整流回路と、全波整流回路からの出力電圧を受けて、所定の直流定電圧（本実施例では直流１５Ｖ）を生成する定電圧回路と、定電圧回路にて生成された直流定電圧１５Ｖを受けて、これよりも低い直流定電圧（本実施例では直流１１Ｖ）を生成する定電圧回路と、端末側（詳しくはＣＳチューナ１４）から伝送されてきた偏波切換信号の電圧レベルを判定し、その電圧レベルに対応した直流定電圧（１１Ｖ又は１５Ｖ）を発生する定電圧回路からの出力電圧を分配器７０側に選択的に出力する出力電圧切換回路とから構成されており、端末側から伝送されてきた偏波切換信号と同レベルの電圧信号を、偏波切換・電源供給兼用の電圧信号として出力端子７４ｄに出力する。また、電源装置６０は、分配器７０の出力端子７４ｄから出力された受信信号については、高周波カップリング用のコンデンサ等を介して、端末側にそのまま出力する。
【００５０】
次に、分配器７０は、上記参考例の分配器２０と同様、ＶＵ・ＢＳ入力端子７２ｉに入力されたＶＵ・ＢＳ信号を、ＣＳ入力端子７２ｖ及び７２ｈに入力された各偏波面のＣＳ信号（垂直偏波信号及び水平偏波信号）と混合して、その混合信号を夫々専用の分配回路７８ｖ，７８ｈにて４分配し、その４分配した２種類の混合信号の内のいずれかを、４個の出力端子７４ａ〜７４ｄから端末側に出力する。
【００５１】
即ち、分配器７０内では、まず、ＶＵ・ＢＳ入力端子７２ｉに入力されたＶＵ・ＢＳ信号が分配回路７８ｉにて２分配される。そして、この２分配されたＶＵ・ＢＳ信号は、夫々、ＶＵ・ＢＳ信号通過・ＣＳ信号遮断用のローパスフィルタ（ＬＰＦ）８２ａ，８２ｂ、及び直流カット・高周波成分通過用のコンデンサＣV2，Ｃh2を介して各分配回路７８ｖ，７８ｈに入力される。また、ＣＳ入力端子７２ｖ，７２ｈに夫々入力されたＣＳ信号（垂直偏波信号及び水平偏波信号）は、夫々、直流カット・高周波成分通過用のコンデンサＣv1，Ｃh1を介して、各信号増幅用の増幅回路Ａｖ，Ａｈに入力され、これら各増幅回路Ａｖ，Ａｈにて増幅された後、ＣＳ信号通過・ＶＵ・ＢＳ信号遮断用のハイパスフィルタ（ＨＰＦ）８０ｖ，８０ｈ及び上記各コンデンサＣv2，Ｃh2を介して、上記各分配回路７８ｖ，７８ｈに入力される。この結果、各分配回路７８ｖ，７８ｈには、ＶＵ・ＢＳ信号と垂直・水平各偏波のＣＳ信号とを混合した受信信号が夫々入力されることになる。
【００５２】
一方、上記各出力端子７４ａ〜７４ｄには、夫々、切換回路８４ａ〜８４ｄが接続されている。この切換回路８４ａ〜８４ｄは、上記参考例の切換回路３４ａ〜３４ｄと同様、各分配回路７８ｖ，７８ｈにて分配された２種類の受信信号を夫々受けて、その中から、端末側より出力端子７４ａ〜７４ｄに供給された電圧信号（偏波切換信号）の電圧レベルに対応した受信信号を選択し、これを、対応する出力端子７４ａ〜７４ｄから端末側に出力させるためのものであり、各分配回路７８ｖ，７８ｈからの出力信号の一方を選択し、直流カット・高周波成分通過用のコンデンサＣａ〜Ｃｄを介して、対応する出力端子７４ａ〜７４ｄに出力する切換スイッチ８６ａ〜８６ｄと、出力端子７４ａ〜７４ｄに端末側より入力された電圧信号（偏波切換信号）を高周波成分カット用のチョークコイルＬａ〜Ｌｄを介して取り込み、その取り込んだ電圧信号の電圧レベルから、垂直偏波信号と水平偏波信号とのいずれを選択するかを判定し、その判定結果に従い切換スイッチ８６ａ〜８６ｄを駆動する駆動回路８８ａ〜８８ｄとから構成されている。この結果、本実施例の分配器７０においても、出力端子７４ａ〜７４ｄに接続されたＣＳチューナ１４等の端末装置に対して、その端末装置が希望する偏波面の受信信号を出力することができる。
【００５３】
また次に、上記４個の出力端子７４ａ〜７４ｄの内、電源装置６０が接続された出力端子７４ｄには、チョークコイルＬｄを介して、電源回路９０が接続されている。この電源回路９０は、電源装置６０が生成した電圧信号を受けて、分配器７０内の増幅回路Ａｖ，Ａｈ及びＣＳアンテナ２の受信部２ｃに設けられた垂直偏波受信用のコンバータ回路を動作させるための電源供給信号（直流１１Ｖ）を生成する３端子レギュレータ９２と、ＣＳアンテナ２の受信部２ｃに設けられた水平偏波受信用のコンバータ回路を動作させるための電圧信号（直流１５Ｖ）を生成するＤＣ−ＤＣコンバータ９４とから構成されている。
【００５４】
そして、３端子レギュレータ９２で生成された電圧信号（直流１１Ｖ）は、各増幅回路Ａｖ，Ａｈに直接供給されると共に、チョークコイルＬV1，ＣＳ入力端子７２ｖ及び同軸ケーブルを介して、ＣＳアンテナ２の垂直偏波受信用のコンバータ回路に供給され、ＤＣ−ＤＣコンバータ９４にて生成された電圧信号（直流１５Ｖ）は、チョークコイルＬh1，ＣＳ入力端子７２ｈ及び同軸ケーブルを介してＣＳアンテナ２の水平偏波受信用のコンバータ回路に供給される。
【００５５】
また分配器７０において、電源装置１６からブースタ１０及びＢＳアンテナ８への電源供給用の電源供給信号を受ける受電端子７６は、手動切換スイッチＳＷに接続されている。この手動切換スイッチＳＷは、ブースタ１０及びＢＳアンテナ８に対して、受電端子７６に接続された外部電源（つまり電源装置１６）からの電源供給信号にて電源供給を行うか、ＤＣ−ＤＣコンバータ９４にて生成された電圧信号（直流１５Ｖ）にて電源供給を行うかを、手動で切り換えるためのものである。そして、この手動切換スイッチＳＷの出力側端子は、高周波成分カット用のチョークコイルＬｉを介してローパスフィルタ８２ｂとコンデンサＣh2との接続点に接続されている。
この結果、手動切換スイッチＳＷが受電端子７６側に切り換えられている状態（図３に示す状態）では、受電端子７６に接続された電源装置１６からの電源供給信号が、手動切換スイッチＳＷ，チョークコイルＬｉ，ローパスフィルタ８２ｂ，分配回路７８ｉ，ＶＵ・ＢＳ入力端子７２ｉ及び同軸ケーブルを介して、ブースタ１０に供給され、更にこのブースタ１０を介してＢＳアンテナ８の受信部８ｃに供給されることになる。
【００５６】
また、手動切換スイッチＳＷがＤＣ−ＤＣコンバータ９４側に切り換えられた場合には、ブースタ１０及びＢＳアンテナ８が、ＤＣ−ＤＣコンバータ９４からの出力電圧にて駆動されることになり、受電端子７６に電源装置１６を接続することなく、ブースタ１０及びＢＳアンテナ８を動作させることができるようになる。但し、この場合には、電源装置６０からの出力電圧にて、ブースタ１０及びＢＳアンテナを駆動する必要があるので、電源装置６０には、出力電力の大きなものを使用する必要がある。
【００５７】
このように、図３に示した本実施例の共同受信システムにおいても、図１に示したシステムと同様、分配器７０の４つの出力端子２４ａ〜２４ｄに接続された端末装置側に、一本の同軸ケーブルを用いて、端末側が要求する偏波面の受信信号（ＣＳ信号）と、ＶＵ・ＢＳ信号とを同時に伝送することが可能になり、受信信号伝送用の配線を極めて簡単に行うことができる。また、ＣＳアンテナ２、ブースタ１０、及びＢＳアンテナ８に対して、分配器７０を介して、動作用の電源電圧を供給できることから、これら各部への電源供給ラインを別途設ける必要がなく、これによっても共同受信システムを簡単に実現することができる。
【００５８】
尚、図３に示した分配器７０においては、３端子レギュレータ９２とＤＣ−ＤＣコンバータ９４とからなる電源回路９０が、本発明の受信部給電手段に相当する。
【００５９】
そして、図１及び図３に示した各分配器２０，７０では、ＶＵ・ＢＳ入力端子に入力されたＶＵ・ＢＳ信号とＣＳ信号（垂直偏波信号及び水平偏波信号）との混合は、垂直偏波信号及び水平偏波信号を夫々４分配する各分配回路の入力側で、第２受信信号混合手段としてのローパスフィルタを介して行うものとして説明したが、ＶＵ・ＢＳ信号は、各出力端子から出力できればよいため、例えば、各分配回路の出力側、或いは、切換回路から出力端子に至る経路で、ローパスフィルタ等を介してＣＳ信号に混合するようにしてもよい。
【００６０】
また上記実施例では、ＣＳアンテナ２からの受信信号を４分配して出力する４分配器について説明したが、内部に設ける一対の分配回路２８ｖ，２８ｈ（或いは７８ｖ，７８ｈ）の分配数を適宜設定することにより、任意の分配数の分配器を構成できるのはいうまでもない。
【００６１】
また、上記実施例では、ＣＳアンテナ２は、垂直偏波と水平偏波とからなる直交２偏波の電波を受信するものとして説明したが、ＣＳアンテナが、右旋円偏波と左旋円偏波とからなる交差偏波の電波を受信するものであっても、本発明を適用できるのはいうまでもない。
【図面の簡単な説明】
【図１】  参考例の共同受信システム全体の構成を表す概略構成図である。
【図２】  図１に示した切換回路の構成を表す電気回路図である。
【図３】  実施例の共同受信システム全体の構成を表す概略構成図である。
【符号の説明】
２…ＣＳアンテナ、２ｃ…受信部、４…ＶＨＦアンテナ、６…ＵＨＦアンテナ、８…ＢＳアンテナ、８ｃ…受信部、１０…ブースタ、１２…テレビ受像機、１４…ＣＳチューナ、ＳＰ１，ＳＰ２…セパレータ、１６…電源装置、２０…分配器、２２ｖ，２２ｈ…ＣＳ入力端子、２２ｉ…ＶＵ・ＢＳ入力端子、２４ａ〜２４ｄ…出力端子、２６…受電端子、２８ｖ，２８ｈ，２８ｉ…分配回路、３４ａ〜３４ｂ…切換回路、７０…分配器、７２ｖ，７２ｈ…ＣＳ入力端子、７２ｉ…ＶＵ・ＢＳ入力端子、７４ａ〜７４ｄ…出力端子、７６…受電端子、７８ｖ，７８ｈ，７８ｉ…分配回路、８４ａ〜８４ｄ…切換回路、９０…電源回路、９２…３端子レギュレータ、９４…ＤＣ−ＤＣコンバータ、ＳＷ…手動切換スイッチ、Ｌｉ…チョークコイル。
【図１】
0003892557.tif 000002
【図２】
0003892557.tif 000003
【図３】
0003892557.tif 000004